Podtech/llm-jp-corpus-v4-ja_patent huggingface dataset:
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
環境の複数の状態を検出するためのシステムであって、
空気中の粒子を検出するように構成された粒子検出器と、
前記環境及び前記粒子検出器と流体連通する複数の空気サンプル吸入口を有するサンプリングパイプ網と、
前記サンプリングパイプ網を通じて前記環境から前記粒子検出器へ空気サンプルを取り出す吸引器と、
ハウジングであって、前記粒子検出器の上流の場所において前記サンプリングパイプ網と流体連通して配置されるハウジングと、標的種に敏感に反応する少なくとも１つのガス検出器であって、前記ガスセンサが前記サンプリングパイプ網内を流れる前記空気サンプルの少なくとも一部における標的種の存在を検出するように配置される少なくとも１つのガス検出器とを有する少なくとも１つのガス検出装置と、
を有することを特徴とするシステム。
【請求項２】
前記ハウジングは、前記サンプリングパイプ網内に挿入されたダクト部分を有する、
ことを特徴とする請求項１に記載のシステム。
【請求項３】
前記ガス検出装置は、
前記ガス検出装置によって分析するために前記サンプリングパイプ網又は前記ハウジングのダクト部分内を流れる空気サンプルから副サンプルを取り出すように配置された吸入ポートと、
空気の副サンプルを排出するように配置された排出ポートと、
前記吸入ポートから前記排出ポートに延びる流路と、
前記副サンプル内の標的種の存在を検出するために前記流路と流体連通して配置された標的種に敏感に反応する少なくとも１つのガス検出器と、
をさらに有することを特徴とする請求項１又は請求項２に記載のシステム。
【請求項４】
前記ガス検出装置は、
前記流路を規定するサンプル通路であって、
前記試験領域と、
前記サンプル内の標的種が膜を通じて前記試験領域へ入ることができるように前記サンプル通路と前記試験領域との間に流体連通を付与する少なくとも１つの膜と、をさらに有し、
前記サンプル通路が、前記サンプルガスの少なくとも一部を前記膜の方へ向けるために流れ制御構造を有する、サンプル通路を備えている、
ことを特徴とする請求項３に記載のシステム。
【請求項５】
前記流れ制御構造は、前記サンプル通路の湾曲部を規定し、前記膜は、前記湾曲部の外側部分に位置付けられている、
ことを特徴とする請求項１から請求項４の何れか１項に記載のシステム。
【請求項６】
前記流れ制御構造は、
（i）前記サンプル通路の狭くなる部分、
（ii）前記サンプル通路の壁を規定する表面からの球根状の突起部、
（iii）前記サンプル通路を規定する表面の少なくとも１つから前記サンプル通路内へ延びるバッフル、及び、
（iv）前記サンプル流れを妨害する前記サンプル通路内部の物体、
のうちの何れか１つ又は複数を有する、
ことを特徴とする請求項３から請求項５の何れか１項に記載のシステム。
【請求項７】
前記ガス検出装置の吸入ポートと前記排出ポートは、前記吸入ポートと前記排出ポートの間における圧力降下が前記流路を通じて空気を取り出すのに役立つように前記ハウジングのダクト部分又は前記サンプリングパイプ網の気流内に位置付けられている、
ことを特徴とする請求項１から請求項６の何れか１項に記載のシステム。
【請求項８】
空気を前記ガス検出装置の前記吸入ポートへ取り出す手段をさらに有している、
ことを特徴とする請求項１から請求項６の何れか１項に記載のシステム。
【請求項９】
較正ガスを前記ガス検出装置の前記試験領域に供給するように構成された二次ガス吸入口をさらに有している、
ことを特徴とする請求項１から請求項８の何れか１項に記載のシステム。
【請求項１０】
前記二次ガス吸入口によって前記試験領域に供給されたガスは、前記試験領域から１つ又は複数の関連する膜を通じて前記流路内へ流される、
ことを特徴とする請求項９に記載のシステム。
【請求項１１】
前記ガス検出装置の前記流路内の粒子の存在を検出するように配置された粒子検出装置をさらに有している、
ことを特徴とする請求項１から請求項１０の何れか１項に記載のシステム。
【請求項１２】
前記ダクトシステムは、前記ダクトに沿って順番に配置された複数の空気サンプル吸入口を有する少なくとも１つの空気サンプリングパイプを有し、
前記ガス検出装置は、少なくとも２つの空気サンプル吸入口の下流の前記空気サンプリングパイプから副サンプルを取るように配置され、前記ガス検出装置の上流の前記空気サンプリングパイプにおける複数のサンプル吸入口の希釈効果を反映する希釈係数で較正される、
ことを特徴とする請求項１から請求項１１の何れか１項に記載のシステム。
【請求項１３】
少なくとも２つのガス検出装置を有し、各ガス検出装置は、それぞれの位置において空気サンプリングパイプから副サンプルを取るように配置され、前記ガス検出装置のそれぞれの位置の上流の前記空気サンプリングパイプの前記サンプル吸入口の希釈効果を反映する対応する希釈係数で較正される、
ことを特徴とする請求項１２に記載のシステム。
【請求項１４】
前記サンプリングパイプ網は、前記環境のそれぞれの部分から空気サンプルを取り出すように配置された少なくとも２つの空気サンプル吸入口を有し、前記システムはさらに、それぞれの空気サンプル吸入口に隣接した前記環境の一部において検出される少なくとも１つの標的種に敏感に反応する少なくとも２つのガス検出装置を有する、
ことを特徴とする請求項１から請求項１３の何れか１項に記載のシステム。
【請求項１５】
少なくとも２つのガス検出装置は、それぞれのガス検出装置が、同一ではない空気サンプル吸入口の対応する部分集合から取り出された空気サンプル流れを含む前記ダクトから副サンプルを取り出すことができるように前記サンプリングパイプ網に対して位置付けられている、
ことを特徴とする請求項１４に記載のシステム。
【請求項１６】
１つのガス検出装置に対応する空気サンプル吸入口の部分集合が、別の粒子検出装置の空気サンプル吸入口の部分集合に対して少なくとも１つの空気サンプル吸入口によって異なっている、
ことを特徴とする請求項１５に記載のシステム。
【請求項１７】
１つのガス検出装置に対応する空気サンプル吸入口の部分集合が、別の粒子検出装置に対応する空気サンプル吸入口の部分集合の一部を形成する空気サンプル吸入口を有していない、
ことを特徴とする請求項１６に記載のシステム。
【請求項１８】
少なくとも２つのガス検出装置が、少なくとも１つの異なる標的種に敏感に反応する、
ことを特徴とする請求項１４から請求項１７の何れか１項に記載のシステム。
【請求項１９】
前記ガス検出装置は、
防爆性を有するハウジング、
１つ又は複数の火炎防止装置、及び、
本質的に安全な電気回路、のうちの何れか１つ又は複数を有する、
ことを特徴とする請求項１から請求項１８の何れか１項に記載のシステム。
【請求項２０】
本質的に安全な粒子検出器をさらに有する、
ことを特徴とする請求項１９に記載のシステム。
【請求項２１】
本質的に安全な粒子検出器又は本質的に安全なガス検出装置の何れか又は両方に電力を供給するためのバリア装置を有する、
ことを特徴とする請求項１９又は請求項２０に記載のシステム。
【手続補正書】
【提出日】平成25年5月10日(2013.5.10)
【手続補正１】
【補正対象書類名】明細書
【補正対象項目名】００４９
【補正方法】変更
【補正の内容】
【００４９】
本発明によれば、蒸留蒸気ストリーム及び液体ストリームからの入口ガスに利用可能な冷却を補足するために、特に、リッチ入口ガスの事例において、外部冷凍の使用が採用されてもよい。こうした事例において、加熱及び物質移動手段は、図２〜図５の点線によって示されるように分離器区域１１８ｆ（又は冷却されたフィード・ストリーム３１ａが液体を含まないときの事例においてはガス収集手段）の中に含まれてもよく、又は加熱及び物質移動手段は、図６〜図９の点線によって示されるように分離器１２の中に含まれてもよい。この加熱及び物質移動手段は、フィンアンドチューブ式熱交換器、プレート式熱交換器、ろう付アルミニウム式熱交換器、又は多管式熱交換器及び／又はマルチサービス熱交換器を含む他のタイプの熱伝達デバイスからなってもよい。加熱及び物質移動手段は、冷媒が蒸気をさらに冷却し且つ付加的な液体に凝縮し、下降してストリーム３５において除去される液体の部分となるように、加熱及び物質移動手段の１つの管を通して流れる冷媒ストリーム（例えばプロパン）と上方に流れるストリーム３１ａの蒸気部分との間の熱交換を提供するように構成される。代替的に、従来のガスチラー（単数又は複数）は、ストリーム３１ａが分離器区域１１８ｆ（図２〜図５）又は分離器１２（図６〜図９）に入る前にストリーム３２ａ、ストリーム３３ａ、及び／又はストリーム３１ａを冷媒で冷却するのに用いることができる。
【手続補正２】
【補正対象書類名】特許請求の範囲
【補正対象項目名】全文
【補正方法】変更
【補正の内容】
【特許請求の範囲】
【請求項１】
メタン、Ｃ２成分、Ｃ３成分、及びより重質の炭化水素成分を含有するガス・ストリームを、揮発性残留ガス留分と、前記Ｃ２成分、Ｃ３成分、及びより重質の炭化水素成分又は前記Ｃ３成分及びより重質の炭化水素成分の大部分を含有する比較的低揮発性の留分とに分離するためのプロセスであって、
（１）前記ガス・ストリームが第１の部分と第２の部分に分けられ、
（２）前記第１の部分が冷却され、
（３）前記第２の部分が冷却され、
（４）前記冷却された第１の部分が前記冷却された第２の部分と組み合わされて、冷却されたガス・ストリームを形成し、
（５）前記冷却されたガス・ストリームが第１ストリームと第２ストリームに分けられ、
（６）前記第１のストリームが冷却されて前記第１のストリームの実質的にすべてが凝縮し、且つその後、より低い圧力に膨張され、それにより前記第１のストリームがさらに冷却され、
（７）前記膨張し冷却された第１のストリームが処理組立体の中に収容された第１吸収手段と第２吸収手段との間にフィードとして供給され、前記第１の吸収手段は前記第２の吸収手段よりも上に位置付けられ、
（８）前記第２のストリームが前記より低い圧力に膨張され、且つボトムフィードとして前記第２の吸収手段に供給され、
（９）蒸留液体ストリームが、前記第２の吸収手段の下側領域から収集され、且つ前記処理組立体の中に収容された加熱及び物質移動手段の中で加熱され、これにより前記蒸留液体ストリームからより揮発性の成分を同時にストリッピングしながら前記ステップ（３）の冷却の少なくとも一部を供給し、且つその後、加熱され且つストリッピングされた前記蒸留液体ストリームを前記処理組立体から前記比較的低揮発性の留分として吐出し、
（１０）第１の蒸留蒸気ストリームが、前記加熱及び物質移動手段の上側領域から収集され、且つ前記第１の蒸留蒸気ストリームの少なくとも一部を凝縮するのに十分なだけ冷却され、これにより凝縮されたストリームと前記第１の蒸留蒸気ストリームが冷却された後に残るあらゆる凝縮されていない蒸気を含有する残留蒸気ストリームとを形成し、
（１１）前記凝縮されたストリームの少なくとも一部が、頂部フィードとして前記第１の吸収手段に供給され、
（１２）第２の蒸留蒸気ストリームが、前記第１の吸収手段の上側領域から収集され、且つ加熱され、
（１３）前記加熱された第２の蒸留蒸気ストリームが、あらゆる前記残留蒸気ストリームと組み合わされて、組み合わされた蒸気ストリームを形成し、
（１４）前記組み合わされた蒸気ストリームが加熱され、その後、前記加熱され組み合わされた蒸気ストリームが前記処理組立体から前記揮発性残留ガス留分として吐出され、
（１５）前記第２の蒸留蒸気ストリームと前記組み合わされた蒸気ストリームとの前記加熱が、前記処理組立体の中に収容された１つ又は複数の熱交換手段の中で達成され、これにより前記ステップ（２）、前記ステップ（６）、及び前記ステップ（１０）の冷却の少なくとも一部を供給し、
（１６）前記第１吸収手段及び前記第２吸収手段への前記フィード・ストリームの量及び温度が、前記第１の吸収手段の前記上側領域の温度を前記比較的低揮発性の留分中の成分の大部分が回収される温度に維持するのに有効である、
プロセス。
【手続補正書】
【提出日】平成25年6月11日(2013.6.11)
【手続補正１】
【補正対象書類名】特許請求の範囲
【補正対象項目名】全文
【補正方法】変更
【補正の内容】
【特許請求の範囲】
【請求項１】
光信号の偏光状態を制御するフィードフォワード制御装置において、
入力偏光状態を有する光入力信号を受信する光入力と、
出力偏光状態を有する光出力信号を送信する光出力と、
前記光入力および前記光出力に接続された偏光制御装置と、
前記入力偏光状態および出力偏光状態から当該フィードフォワード制御装置の特有の偏光伝達関数を決定する伝達関数決定器と、を備え
前記偏光制御装置が、当該フィードフォワード制御装置の前記特有の偏光伝達関数に応じて通過光の偏光状態を補正するように構成される、フィードフォワード制御装置。
【請求項２】
前記伝達関数決定器が、前記光入力信号をサンプリングして前記光入力信号の偏光状態を表す１以上の信号を提供する入力サンプリング器と、
前記光出力信号をサンプリングして前記光出力信号の偏光状態を表す１以上の信号を提供する出力サンプリング器と、を備え
当該フィードフォワード制御装置が、前記入力サンプリング器および前記出力サンプリング器に接続され、受信した前記信号を処理して１以上の制御信号を生成するように構成された信号プロセッサをさらに備え、
前記偏光制御装置が、前記信号プロセッサから受信した１以上の制御信号に応じて通過光の偏光状態を補正するように構成される、請求項１に記載のフィードフォワード制御装置。
【請求項３】
前記偏光制御装置が、通過光の偏光状態を補正して、前記光出力信号の偏光状態を維持するように構成される、請求項１または２に記載のフィードフォワード制御装置。
【請求項４】
前記入力サンプリング器および出力サンプリング器のうちの少なくとも一方が、
前記光信号をサンプリングする光結合器と、
前記光結合器に接続され、前記光信号の偏光状態を表す１以上の信号を提供するように構成された偏光計と、
を備える、請求項２または３に記載のフィードフォワード制御装置。
【請求項５】
前記光結合器がタップ結合器を備える、請求項４に記載のフィードフォワード制御装置。
【請求項６】
前記偏光計が、
前記光信号の１以上の偏光成分を分解する分解器と、
分解した前記１以上の偏光成分の大きさを測定する１以上のフォトダイオードと、
を備える、請求項４または５に記載のフィードフォワード制御装置。
【請求項７】
前記分解器が、波長板および偏光素子のうちの少なくとも一方の組み合わせを含む、請求項６に記載のフィードフォワード制御装置。
【請求項８】
前記分解器が、前記光信号の少なくとも３つの偏光成分を分解するように構成される、請求項６または７に記載のフィードフォワード制御装置。
【請求項９】
前記偏光成分が、前記光信号のストークス・ベクトルを規定する、請求項８に記載のフィードフォワード制御装置。
【請求項１０】
前記信号プロセッサがデジタル信号プロセッサであり、
当該フィードフォワード制御装置が、
前記光入力のサンプリング手段および前記デジタル信号プロセッサに接続された第１アナログ・デジタル変換器と、
前記光出力のサンプリング手段および前記デジタル信号プロセッサに接続された第２アナログ・デジタル変換器と、
前記デジタル信号プロセッサおよび前記偏光制御装置に接続されたデジタル・アナログ変換器と、
をさらに備える、請求項１〜９のいずれか１項に記載のフィードフォワード制御装置。
【請求項１１】
前記光出力に接続され、所定の偏光状態の光を透過させる偏光コンポーネントと、
前記偏光コンポーネントを透過した光の量および前記偏光コンポーネントを透過しなかった光の量の少なくとも一方を監視し、その監視信号を生成する監視装置と、をさらに備え、
前記監視装置が前記信号プロセッサに接続され、当該信号プロセッサがさらに、受信した前記監視信号を処理して前記偏光制御装置の１以上の制御信号を生成するように構成されて、当該偏光制御装置が、通過光の偏光状態を補正するように構成されて、前記偏光コンポーネントを透過した光の量が最大化され、前記偏光コンポーネントを透過しなかった光の量が最小化される、請求項１〜１０のいずれか１項に記載のフィードフォワード制御装置。
【請求項１２】
フィードフォワード制御の光ファイバシステムであって、
請求項１〜１１のいずれか１項に記載のフィードフォワード制御装置と、
前記入力のサンプリング器および前記偏光制御装置に接続され、前記光入力信号を伝送する第１光ファイバと、
前記偏光制御装置および前記出力のサンプリング器に接続され、前記光出力信号を伝送する第２光ファイバと、
を備える、フィードフォワード制御の光ファイバシステム。
【請求項１３】
光信号の偏光状態を制御する方法において、
光学システムの入力で光入力信号を受信するステップと、
前記光入力信号の偏光状態を表す１以上の信号を生成するステップと、
前記光学システムを介して前記光入力信号を送信するステップと、
前記光学システムからの光出力信号の偏光状態を表す１以上の信号を生成するステップと、
前記入力および出力の偏光状態を表す信号を処理して、前記光学システムの特有の偏光伝達関数を決定するステップと、
前記特有の偏光伝達関数に応じて通過光の偏光状態を補正するステップと、
を備える、方法。
【請求項１４】
前記光学システムの一部を構成する偏光制御装置を駆動する１以上の制御信号を生成するステップと、
前記１以上の制御信号に応答して、前記偏光制御装置を通過する光の偏光状態を補正するステップと、
をさらに備える、請求項１３に記載の方法。
【請求項１５】
前記ステップを継続的に実行して、前記偏光制御装置を駆動し、前記光出力信号の偏光状態を維持する、請求項１４に記載の方法。
【手続補正書】
【提出日】平成25年2月1日(2013.2.1)
【手続補正１】
【補正対象書類名】特許請求の範囲
【補正対象項目名】請求項１４
【補正方法】変更
【補正の内容】
【請求項１４】
絶縁材は第２の導電性材料の帯の部分上に選択的に位置づけられる、請求項１３に記載の装置。
【手続補正２】
【補正対象書類名】明細書
【補正対象項目名】００３７
【補正方法】変更
【補正の内容】
【００３７】
【図１】本発明に従うディスプレイ装置の概略断面図である。
【図２】図１と類似した図であって、画像を作成するために使用した後の図１の装置を示す図である。
【図３】図１および図２の装置の第２の基板の一例の平面図であり、金属第２電極のパターンを示す図である。
【図４】本発明を実施するディスプレイ装置の一部を形成する、縦の帯のアレイの形を取る第１の電極および横の帯のアレイの形を取る第２の電極の概略平面図である。
【図５Ａ】図４のアレイの拡大尺度部分を示す図である。
【図５Ｂ】画像形成後の図５Ａのさらに拡大された尺度部分を示す図である。
【図６】本発明に従うディスプレイ装置において７セグメントの数字表示パターンをもたらす電極パターンを示す図である。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
紫外線への曝露によって明状態から暗状態に遷移し、電圧の印加によって暗状態から明状態に遷移することの可能な光学フィルタにおいて、
ａ）第１および第２の実質的に透明な基板と、
ｂ）該基板のうちの少なくとも１つの基板の表面に配置された第１および第２の電極と、
ｃ）該第１および第２の基板の間に該第１および第２の電極に接触するように配置されたスイッチング材料であって、エレクトロクロミック特性およびフォトクロミック特性を有する１つ以上の発色団を含むスイッチング材料と、
ｄ）該第１の電極および該第２の電極を電圧供給源に電気的に接続するための電気接続手段と、を備える光学フィルタ。
【請求項２】
請求項１に記載の光学フィルタを備えた光学デバイスであって、窓であるか、眼用デバイスである、光学デバイス。
【請求項３】
前記スイッチング材料が溶液であって随意でポリマーによって増粘されているか、前記スイッチング材料がゲルである、請求項１または２に記載の光学フィルタ。
【請求項４】
遷移が、電圧の印加によって制御可能であり、随意で該電圧の印加が、紫外線曝露中に前記光学フィルタを明化させる、請求項１乃至３のいずれか一項に記載の光学フィルタ。
【請求項５】
前記光学フィルタが、前記明状態で約５０％以上の可視光透過率を実現することが可能であるか、前記光学フィルタが、前記暗状態で約３０％以下の可視光透過率を実現することが可能であるか、前記光学フィルタが、約２よりも大きいコントラスト比を実現することが可能であるか、のうちの１つ以上であり、随意で暗状態におけるＶＬＴが、温度に伴って実質的に変化しない、請求項１乃至４のいずれか一項に記載の光学フィルタ。
【請求項６】
前記光学フィルタが、約１秒〜３０分の時間で前記明状態と前記暗状態との間を遷移することが可能であるか、前記光学フィルタが、０．１Ｖ以上の印加によって前記暗状態から前記明状態に遷移することが可能であるか、前記光学フィルタが、約３６５ｎｍよりも長い波長の紫外線への曝露によって前記明状態から前記暗状態に遷移可能であるか、のう
ちの１つ以上である、請求項１乃至５のいずれか一項に記載の光学フィルタ。
【請求項７】
前記１つ以上の発色団が、ジアリールエテン、ジチエニルシクロペンテン、およびフルギドからなる化合物の群から選択され、随意では前記ジアリールエテンが式Ｉの一般構造を有する請求項１乃至６のいずれか一項に記載の光学フィルタ。
【化１】
2012529661.tif 000001
（式中、
Ｒ１は、独立してＨまたはハロゲンであり、
Ｒ２は、独立してＨ、ハロゲンであるか、両方のＲ２が一緒になってＣＨ＝ＣＨを形成するか、またはポリマー形態にある場合、Ｒ２がＣＨ＝ＣＨであり、ポリマー主鎖の一部を形成するか、であり
Ｒ３は、独立してアルキル、アリール、Ｈ、ハロゲン、またはＣＯ２Ｙ（Ｙ＝Ｈ、Ｎａ、アルキル、アリール）であり、
Ｒ４は、アリールであり、
Ｒ５は、独立してＨ、アルキル、またはアリールである。）
【請求項８】
前記光学フィルタが、３６５ｎｍ未満の波長の紫外線を遮断することが可能である紫外線遮断剤をさらに含む、請求項１乃至７のいずれか一項に記載の光学フィルタ。
【請求項９】
紫外線への曝露によって明状態から暗状態に遷移し、電圧の印加によって暗状態から明状態に遷移することの可能な光学フィルタ、または該光学フィルタを含む窓もしくは眼用デバイスを調製するための方法であって、
ａ）第１および第２の実質的に透明な基板の間にスイッチング材料の層を配置する工程であって、該基板のうちの少なくとも１つの基板の表面に第１および第２の電極が配置され、該第１および第２の電極は該スイッチング材料が各電極に接触するように配置される工程と、
ｂ）該電極を電圧供給源に接続するための電気接続手段を提供する工程と、
ｃ）前記スイッチング材料を硬化して、該スイッチング材料の粘度を上昇させる工程と、
からなる方法。
【請求項１０】
エレクトロクロミック特性およびフォトクロミック特性を有する１つ以上の発色団と溶媒とからなるスイッチング材料であって、紫外線への曝露によって明状態から暗状態に遷移し、電圧の印加によって暗状態から明状態に遷移することの可能なスイッチング材料。
【請求項１１】
紫外線への曝露によって明状態から暗状態に遷移し、電圧の印加によって暗状態から明状態に遷移可能である可変透過率窓であって、
ａ）実質的に透明な窓基板と、
ｂ）該基板の少なくとも１つの表面に結合された、請求項１乃至８のいずれか一項に記載の少なくとも１つの光学フィルタと
からなる可変透過率窓。
【請求項１２】
紫外線への曝露によって明状態から暗状態に遷移し、電圧の印加によって暗状態から明状態に遷移可能可変透過率窓を調製するための方法であって、
ａ）請求項１乃至８のいずれか一項に記載の光学フィルタを提供する工程と、
ｂ）該光学フィルタを、前記窓の少なくとも１つの実質的に透明な表面に結合させる工程と
からなる方法。
【請求項１３】
紫外線への曝露によって明状態から暗状態に遷移し、電圧の印加により暗状態から明状態に遷移することの可能な眼用デバイスであって、
ａ）実質的に透明な眼用基板と、
ｂ）該基板の表面に結合された、請求項１乃至８のいずれか一項に記載の光学フィルタと
からなる眼用デバイス。
【請求項１４】
紫外線への曝露によって明状態から暗状態に遷移し、電圧の印加によって暗状態から明状態に遷移することの可能な眼用デバイスを調製するための方法であって、
ａ）請求項１乃至８のいずれか一項に記載の光学フィルタを提供する工程と、
ｂ）該光学フィルタを、前記眼用デバイスの実質的に透明な眼用基板のうちの少なくとも１つの表面に結合させる工程と
からなる方法。
【請求項１５】
紫外線への曝露によって明状態から暗状態に遷移し、電圧の印加によって暗状態から明状態に遷移することの可能な光学フィルタにおいて、
ａ）第１および第２の実質的に透明な基板と、
ｂ）該基板のうちの少なくとも１つの基板の表面に配置された第１および第２の電極と、
ｃ）該第１および第２の基板の間に該第１および第２の電極に接触するように配置されたスイッチング材料であって、エレクトロクロミック特性およびフォトクロミック特性を有する１つ以上の発色団を含むスイッチング材料と、を備える光学フィルタ。
【手続補正書】
【提出日】平成25年6月6日(2013.6.6)
【手続補正１】
【補正対象書類名】明細書
【補正対象項目名】０３４８
【補正方法】変更
【補正の内容】
【０３４８】
一の態様において、本発明の装置によって検出されるマーカー、例えばｃＴｎＩまたはＶＥＧＦのレベルの増加、および生理学的マーカーの存在は、生物学的状態、例えば疾患を意味する。例えば、被験体における状態を、第１マーカーのレベルの増加、および異常なＥＫＧまたは負荷試験の結果によって検出してよい。
【手続補正２】
【補正対象書類名】明細書
【補正対象項目名】０３５３
【補正方法】変更
【補正の内容】
【０３５３】
一の態様において、本発明の装置によって検出されるマーカー、例えばｃＴｎＩまたはＶＥＧＦのレベルの増加、および遺伝子マーカーの存在は、生物学的状態、例えば疾患を意味する。例えば、被験体における状態は、第１マーカーおよび病態と相関関係にあるＳＮＰのレベルの増加によって検出してよい。例えば、被験体における状態は、第１マーカー、および病態と相関することがわかっているＤＮＡメチル化パターンのレベルの増加によって検出してよい。
【手続補正３】
【補正対象書類名】明細書
【補正対象項目名】０３５４
【補正方法】変更
【補正の内容】
【０３５４】
［Ｄ．検出およびモニタリング］
長期的な（ｌｏｎｇｉｔｕｄｉｎａｌ）試料が定められた期間にわたって個体から収集される場合、本発明の方法は、バイオマーカー、例えばＶＥＧＦのレベルにおける微細な変化を時間と共に定量し得る。目立たない変化を定量する能力は、本明細書に記載の方法を用いる場合に行われる測定の感度と精度とを組み合わせることによって可能となる。
【手続補正４】
【補正対象書類名】明細書
【補正対象項目名】０３５５
【補正方法】変更
【補正の内容】
【０３５５】
本明細書に記載された方法は、健常者におけるバイオマーカー、例えばＶＥＧＦ、サイトカイン、ｃＴｎＩのレベルをモニタリングするのに用いることができ、疾患の危険性または早期疾患を示す被分析物のレベルにおける微細な増加を検出する能力を有する。一定の長期的な試料が個体から収集される場合、正常を上回るそのような増加を時間と共に定量することができる。目立たない変化をモニタリングする能力は、本明細書に記載の方法を用いる場合に行われる測定の感度と精度とを組み合わせることによって可能となる。
【手続補正５】
【補正対象書類名】明細書
【補正対象項目名】０３５６
【補正方法】変更
【補正の内容】
【０３５６】
本明細書に記載された方法は、バイオマーカー、例えばＶＥＧＦ、サイトカイン、ｃＴｎＩのレベルを、レベルの増加が観察された個体に関してモニタリングするのに用いることができ、被分析物のレベルにおける、健康な状態への回復を示す微細な減少を検出する能力を有する。一定の長期的な試料が個体から収集される場合、そのような減少を時間と共に定量することができ、健康な範囲と比較することができる。この情報は、治療的介入の成功または正常で健康な状態への回復を確定するのに用いることができる。目立たない変化をモニタリングする能力は、本発明の測定の感度と精度とを組み合わせることによって可能である。
【手続補正６】
【補正対象書類名】明細書
【補正対象項目名】０３５７
【補正方法】変更
【補正の内容】
【０３５７】
記載された方法は、長期的な試料が定められた期間にわたって個体から収集される場合に、被分析物、例えばＶＥＧＦ、サイトカイン、ｃＴｎＩのレベルにおける微細な変化を時間と共にモニタリングするのに用いることができる。目立たない変化をモニタリングする能力は、本発明による測定の感度と精度とを組み合わせることによって可能である。
【手続補正７】
【補正対象書類名】明細書
【補正対象項目名】０３６０
【補正方法】変更
【補正の内容】
【０３６０】
いくつかの態様において、被験体からの第１試料の取得と第２試料の取得との間に、医療処置が行われる。いくつかの態様において、医療処置には、外科的処置、ストレス試験、放射性ヌクレオチドストレス試験または治療的介入が含まれる。いくつかの態様において、本発明は、被験体における状態を検出またはモニタリングする方法を提供し、この方法は、被験体からの第１試料中の第１マーカーの検出および第２マーカーの検出、外科的処置の実施、ならびに処置後の第１および第２マーカーの検出を含み、処置の前後のマーカーにおける変化が、状態を検出およびモニタリングするのに用いられる。いくつかの態様において、第１マーカーには心筋トロポニン−Ｉ（ｃＴｎＩ）または血管内皮増殖因子（ＶＥＧＦ）が含まれる。いくつかの態様において、本発明は、被験体における状態を検出またはモニタリングするための方法を提供し、この方法は、被験体からの第１試料中の第１マーカーの検出および第２マーカーの検出、被験体におけるストレス試験の実施、ならびにストレス試験後の第１および第２マーカーの検出を含み、処置の前後のマーカーにおける変化が、状態を検出およびモニタリングするのに用いられる。いくつかの態様において、第１マーカーには心筋トロポニン−Ｉ（ｃＴｎＩ）または血管内皮増殖因子（ＶＥＧＦ）が含まれる。いくつかの態様において、本発明は、被験体における状態を検出またはモニタリングするための方法を提供し、この方法は、被験体の第１試料中の第１マーカーの検出および第２マーカーの検出（第１マーカーには心筋トロポニン−Ｉ（ｃＴｎＩ）が含まれる）、被験体におけるストレス試験の実施、ならびにストレス試験後の第１および第２マーカーの検出を含み、処置の前後のマーカーにおける変化が、状態を検出およびモニタリングするのに用いられる。いくつかの態様において、本発明は、被験体における状態を検出またはモニタリングするための方法を提供し、この方法は、被験体からの第１試料中の第１マーカーの検出および第２マーカーの検出（第１マーカーには血管内皮増殖因子（ＶＥＧＦ）が含まれる）、被験体におけるストレス試験の実施、ならびにストレス試験後の第１および第２マーカーの検出を含み、処置の前後のマーカーにおける変化が、状態を検出およびモニタリングするのに用いられる。いくつかの態様において、本発明は、被験体における状態を検出またはモニタリングするための方法を提供し、この方法は、被験体からの第１試料中の第１マーカーの検出および第２マーカーの検出、被験体における治療的介入の実施、ならびにストレス試験後の第１および第２マーカーの検出を含み、処置の前後のマーカーにおける変化が、状態を検出およびモニタリングするのに用いられる。いくつかの態様において、第１マーカーには心筋トロポニン−Ｉ（ｃＴｎＩ）または血管内皮増殖因子（ＶＥＧＦ）が含まれる。
【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
アドミッタンス分光測定によって薬剤溶液の種類を判断するためのシステムであって、
流体接触面を有する複数の電極を含むセンサと、
前記センサの前記流体接触面からの印加に向けて複数の周波数で電気刺激を供給するように構成された信号発生器と、
前記複数の周波数で前記センサから複素アドミッタンスデータを受信し、かつ該複素アドミッタンスデータを所定の複素アドミッタンスデータのライブラリと比較することによって薬剤溶液中の１つ又はそれよりも多くの化合物の種類、濃度、又は該種類及び濃度を判断するように構成されたプロセッサと、
を含むことを特徴とするシステム。
【請求項２】
前記センサは、異なる材料、異なるサイズ、又は異なる材料と幾何学形状で形成された少なくとも２つの異なる流体接触面を含むことを特徴とする請求項１に記載のシステム。
【請求項３】
前記センサは、単回使用として構成されることを特徴とする請求項１に記載のシステム。
【請求項４】
前記センサの前記流体接触面は、前記所定の複素アドミッタンスデータと符合する所定の基準に対して較正されることを特徴とする請求項１に記載のシステム。
【請求項５】
前記センサは、流体接触面の少なくとも６つの独立した対を含むことを特徴とする請求項１に記載のシステム。
【請求項６】
前記センサから複素アドミッタンスデータを受信し、かつそれを前記プロセッサに転送するように構成された信号受信機を更に含むことを特徴とする請求項１に記載のシステム。
【請求項７】
前記薬剤溶液を前記センサの前記流体接触面が該薬剤溶液に接触するように受け取るように構成された測定セルを更に含むことを特徴とする請求項１に記載のシステム。
【請求項８】
前記信号発生器は、約１Ｈｚから約１ＭＨｚの電流周波数を印加するように構成されることを特徴とする請求項１に記載のシステム。
【請求項９】
前記溶液中の前記１つ又はそれよりも多くの化合物の前記種類及び濃度を表示するように構成されたディスプレイを更に含むことを特徴とする請求項１に記載のシステム。
【請求項１０】
前記プロセッサは、前記薬剤溶液の担体希釈剤の種類を判断するように更に構成されることを特徴とする請求項１に記載のシステム。
【請求項１１】
前記信号発生器からの信号の印加を調整し、かつ前記センサから複素アドミッタンスデータを取得するように構成されたコントローラを更に含むことを特徴とする請求項１に記載のシステム。
【請求項１２】
前記プロセッサは、前記センサから受信した前記複素アドミッタンスデータと所定の複素アドミッタンスデータの前記ライブラリとの間の最も可能性が高い符合を判断するように構成された認識論理を含むことを特徴とする請求項１に記載のシステム。
【請求項１３】
所定の複素アドミッタンスデータの前記ライブラリは、担体希釈剤中の複数の個々の化合物及び化合物の混合物に対して複数の周波数で測定された複素アドミッタンスデータを含むことを特徴とする請求項１に記載のシステム。
【請求項１４】
前記センサは、複素アドミッタンス電極ではない第２のセンサ要素を更に含み、更に、
前記プロセッサは、前記複素アドミッタンスデータに加えて前記第２のセンサ要素からのデータを用いて、前記薬剤溶液中の１つ又はそれよりも多くの化合物の前記種類及び前記濃度の両方を判断するように構成される、
ことを特徴とする請求項１に記載のシステム。
【請求項１５】
前記プロセッサは、前記センサから前記複数の周波数の複素アドミッタンスデータを受信し、かつ該複素アドミッタンスデータを所定の複素アドミッタンスデータのライブラリと比較することによって前記薬剤溶液中の１つ又はそれよりも多くの化合物の前記種類及び濃度を同時に判断するように構成されることを特徴とする請求項１に記載のシステム。
【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
対象物のシグネチャを作り出すための方法であって、
Ａ１：上記対象物の表面の第１領域を走査すると共に、この第１領域内の表面構造の少なくとも一部を示す走査信号を受信するステップと、
Ａ２：ステップＡ１において決定された上記走査信号からシグネチャを生成するステップと、
Ａ３：上記シグネチャを上記対象物と関連付けるステップと、
Ａ４：後の比較目的に使用可能にできる形態で、上記シグネチャを記憶するステップと
を少なくとも備えることを特徴とする方法。
【請求項２】
対象物の特定および／または認証をするための方法であって、
Ｂ１：上記対象物の表面の第２領域を走査すると共に、この第２領域内の表面構造の少なくとも一部を示す走査信号を受信するステップと、
Ｂ２：ステップＢ１において決定された上記走査信号からシグネチャを生成するステップと、
Ｂ３：ステップＢ２において決定された上記シグネチャと、少なくとも１つの基準シグネチャとを比較するステップと、
Ｂ４：ステップＢ３における比較結果に応じて、上記対象物の上記特定および／または上記認証についてメッセージを作成するステップと
を少なくとも備えることを特徴とする方法。
【請求項３】
表面を走査するためのセンサであって、
外部表面と、上記外部表面に対する法線を基準にして角度γで上記外部表面にまで延びている第１貫通部と、上記外部表面に対する法線を基準にして角度δで上記外部表面にまで延びている第２貫通部とを有し、上記角度γおよび角度δの絶対値が等しいブロックと、
上記第１貫通部に配置され、上記外部表面の方向に走査ビームを送信可能な放射線源と、
線形ビームプロファイルを形成するための光学素子と、
上記第２貫通部に配置され、上記外部表面の方向に整置されている光検出器と
を少なくとも備えることを特徴とするセンサ。
【手続補正書】
【提出日】平成25年6月13日(2013.6.13)
【手続補正１】
【補正対象書類名】明細書
【補正対象項目名】０１０２
【補正方法】変更
【補正の内容】
【０１０２】
ヌクレオチド間の連結
用語「連結基」または「ヌクレオチド間連結」は、2つのヌクレオチド、2つのヌクレオチドアナログ、およびヌクレオチドおよびヌクレオチドアナログ等を一緒に共有結合させることができる基を意味すると意図される。特定かつ好ましい例には、リン酸基およびホスホロチオエート基が含まれる。
【手続補正２】
【補正対象書類名】明細書
【補正対象項目名】０１０６
【補正方法】変更
【補正の内容】
【０１０６】
本明細書中で提供されるものとして、好適な硫黄(S)を含むヌクレオチド間連結が好ましい。ホスホロチオエートヌクレオチド間連結もまた、ギャップマーのギャップ領域(B)にとって特に好ましい。また、ホスホロチオエート連結を、フランキング領域(AおよびC、ならびにAまたはCをDに連結するため、および必要に応じて領域D内の)に使用することもできる。
【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
式：
A-X-B
［式中、Bは(i)GDNF、少なくとも１つのGDNF活性を有するその断片、もしくはGDNF類似体；または(ii)BDNF、少なくとも１つのBDNF活性を有するその断片、もしくはBDNF類似体、と実質的に同一のポリペプチドであり；Aはペプチドベクターであり；そしてXはAをBと接続するリンカーである］を含む、化合物。
【請求項２】
血液脳関門を横切ることができる、請求項１に記載の化合物。
【請求項３】
前記BがGDNFまたはBDNFの成熟型を含む、請求項１に記載の化合物。
【請求項４】
AがAngiopep-2（配列番号97）、逆転Angiopep-2（配列番号117）、Angiopep-1（配列番号67）、cys-Angiopep-2（配列番号113）、およびAngiopep-2-cys（配列番号114）からなる群より選択される配列と少なくとも70％、特に少なくとも90％同一のアミノ酸配列を含み、特にAがAngiopep-2 （配列番号97）、逆転Angiopep-2（配列番号117）、Angiopep-1（配列番号67）、cys-Angiopep-2（配列番号113）、およびAngiopep-2-cys（配列番号114）からなる群より選択されるアミノ酸配列を含み、とりわけAが、Angiopep-2（配列番号97）、逆転Angiopep-2（配列番号117）、Angiopep-1（配列番号67）、cys-Angiopep-2（配列番号113）、およびAngiopep-2-cys（配列番号114）からなる群より選択されるアミノ酸配列から成る、請求項１に記載の化合物。
【請求項５】
Xがペプチド結合である、請求項１に記載の化合物。
【請求項６】
Xが少なくとも１つのアミノ酸であり；AとBがそれぞれペプチド結合によりXと共有結合されており、特にXが(GGGGS)n（ここでnは1、2、または3である）；PAPAP；(PT)pP（ここでpは2、3、4、5、6、または7である）；およびA(EAAAK)qA（ここでqは1、2、3、4、または5である）からなる群より選択される、請求項１に記載の化合物。
【請求項７】
a) AがAngiopep-2（配列番号97）であり；Xがペプチド結合であり；そしてBがhGDNF78-211であり；AがBのN末端とXを介して接続されている;
b) AがAngiopep-2（配列番号97）であり；Xがペプチド結合であり；そしてBがhGDNF78-211であり；AがBのC末端とXを介して接続されている;
c) Aが逆転 Angiopep-2（配列番号117）であり；Xがペプチド結合であり；そしてBがhGDNF78-211であり；AがBのN末端とXを介して接続されている;
d) AがAngiopep-2（配列番号97）であり；Xが(GGGGS)2であり；そしてBがhGDNF78-211であり；ここでAはBのN末端とXを介して接続されている;
e) AがAngiopep-2（配列番号97）であり；XがPAPAPであり；そしてBがhGDNF78-211であり；ここでAはBのN末端とXを介して接続されている;あるいは
f) AがAngiopep-2（配列番号97）であり；XがA(EAAAK)2Aであり；そしてBがhGDNF78-211であり；ここでAはBのN末端とXを介して接続されている、請求項１に記載の化合物。
【請求項８】
請求項５〜７のいずれか１項に記載の化合物をコードする核酸分子。
【請求項９】
前記核酸が機能しうる形でプロモーターと連結されている、請求項８に記載の核酸分子を含む、ベクター。
【請求項１０】
請求項９に記載のベクターがコードするポリペプチドを細胞において発現するステップ、および該ポリペプチドを精製するステップを含む、請求項５または６に記載の化合物の作製方法。
【請求項１１】
前記化合物を固体支持体上で合成するステップを含む、請求項５または６に記載の化合物の作製方法。
【請求項１２】
神経変性障害、ニューロン障害、うつ病又は統合失調症を有する被験体を治療する方法において使用するための請求項１〜７のいずれか１項に記載の化合物であって、該方法が該被験体に該化合物の有効量を投与するステップを含む、上記化合物。
【請求項１３】
前記神経変性障害が、ポリグルタミン鎖増大障害、脆弱X症候、脆弱XE精神遅滞、フリードリッヒ失調症、筋緊張性ジストロフィー、脊髄小脳失調症8型、および脊髄小脳失調症12型、アレキサンダー病、アルパーズ病、アルツハイマー病、筋萎縮性側索硬化症（ALS）、毛細血管拡張性運動失調、バッテン病（シュピールマイアー-フォークト-シェーグレン-バッテン病）、キャナヴァン病、コケーン症候群、皮質基底変性症、クロイツフェルト-ヤーコブ病、虚血脳卒中、クラッベ病、レーヴィ小体認知症、多発性硬化症、多系統萎縮症、パーキンソン病、ペリツェーウス-メルツバッヒャー病、ピック病、原発性側索硬化症、レフサム病、サンドホッフ病、シルダー病、脊髄損傷、脊髄筋萎縮、スティール・リチャードソン・オルスゼフスキー病、および脊髄ろうからなる群より選択され、特に該ポリグルタミン反復疾患がハンチントン病（HD）、歯状核赤核淡蒼球ルイ体萎縮、ケネディー病（脊髄延髄筋萎縮とも呼ばれる）、または1型、2型、3型（マチャド-ジョセフ病）、6型、7型、および17型からなる群より選択される脊髄小脳失調症である、請求項１２に記載の化合物。
【請求項１４】
前記ニューロン障害が虚血性脳卒中、出血性脳卒中、または脊髄損傷により誘発されたものである、請求項１２に記載の化合物。
【請求項１５】
前記被験体がヒトである、請求項１２に記載の化合物。
【手続補正書】
【提出日】平成25年6月5日(2013.6.5)
【手続補正１】
【補正対象書類名】特許請求の範囲
【補正対象項目名】全文
【補正方法】変更
【補正の内容】
【特許請求の範囲】
【請求項１】
外部電気装置の消費電力を減らすための省エネルギー装置であって、
外部電力供給に接続できる入力；
選択的に動作電力を与えるための外部電気装置に接続できる出力；
前記出力を経由して外部電気装置に電力が供給されたときに制御するためのプロセッサ；および
遠隔制御装置の出力を監視するためのセンサーであって、前記プロセッサと組み合わされているセンサーを含み、
前記プロセッサは前記遠隔制御装置の出力のセンサーによる検知がないことに基づいて、前記外部電気装置に供給される電力を停止するように動作する、省エネルギー装置。
【請求項２】
前記遠隔制御装置が、ラジオ周波数（RF）制御信号を発生し、前記センサーがRF信号を監視する請求項１に記載の省エネルギー装置。
【請求項３】
前記遠隔制御装置が、赤外線（IR）制御信号を発生し、前記センサーがIR信号を監視する請求項１に記載の省エネルギー装置。
【請求項４】
前記遠隔制御装置の出力のセンサーによる検知がないことが所定のタイムアウト期間を超えたときに、前記プロセッサが前記外部電気装置への電力の供給を停止する請求項１〜３のいずれか一項に記載の省エネルギー装置。
【請求項５】
さらに警告装置を含み、前記警告装置は前記外部電気装置への電力供給の停止前にユーザーに警告信号を与える、請求項１〜４のいずれか一項に記載の省エネルギー装置。
【請求項６】
前記警告装置が少なくとも１つの音響信号または視覚信号を与える、請求項１〜５のいずれか一項に記載の省エネルギー装置。
【請求項７】
複数の出力をさらに含み、前記の複数の出力のそれぞれは、接続されている外部電気装置に動作電力を与えるための前記入力に選択的に電気的に接続するために構成されている請求項１〜６のいずれか一項に記載の省エネルギー装置。
【請求項８】
前記外部電気装置の消費電力を感知するように構成されている電力センサーをさらに含み、前記プロセッサが、さらに、感知した消費電力から前記外部電気装置の動作状態を決定し、前記外部電気装置が選択された状態にあると決定されたときに前記外部電気装置へ供給する電力を停止するように構成されている請求項１〜７のいずれか一項に記載の省エネルギー装置。
【請求項９】
電力供給に接続するために構成されている電力出力；
電力供給に接続されたときに「オン」状態または「スタンドバイ」状態であるタイプの電気装置に接続するために構成されている電気出力；
前記電気入力に前記電気出力を選択的に接続するように構成されているスイッチ；および
ユーザーが動作させる遠隔制御装置の活動を無線で感知できるセンサーを含み、
前記スイッチは少なくとも以下の１つに応答して前記電気出力を前記電気入力との接続から切断するように構成されている、省エネルギー装置：
(i)前記電気装置は前記「オン」状態にあり、前記活動がないことが前記センサーにより検出されている、または
(ii)前記電気装置が「スタンドバイ」状態に入る。
【請求項１０】
本線電気供給源に接続するために構成されている電気プラグ；
電気装置に接続するために構成されている電気ソケット；
前記電気プラグと前記電気ソケットとの電気接続を制御するように構成されているスイッチ；
ユーザーが動作させる遠隔制御装置の活動を無線で感知するように構成されているセンサーであって、前記遠隔制御装置が前記電気装置を制御するように構成されているセンサー；および
センサーを監視して前記活動が検知されていない最初の長さの時間を決定し、前記スイッチを動作させて前記電気プラグと前記電気ソケットとの電気的接続を前記の最初の長さの時間が閾値を超えたときに切断し、ユーザーが不在で前記電気装置を使っていない時間の少なくとも一部の間、前記電気装置が電力を引くことを妨げるように構成されている制御モジュールを含む省エネルギー装置。
【請求項１１】
請求項１０に記載の省エネルギー装置であって、さらに前記制御モジュールによって動作される警告装置を含み、前記警告装置は、閾値にもう少しで到達することを警告するように構成され、前記センサーはさらに前記遠隔制御装置からの信号を検知するように構成され、前記信号は前記制御モジュールにより監視され、前記信号に応答して、前記スイッチは前記電気プラグと前記電気ソケットとの電気的接続を切断するように動作されない、省エネルギー装置。
【請求項１２】
消費電力を監視し、複数の電気装置への電力供給を制御するためのシステムであって、
省エネルギー装置と通信する通信装置を含み、
前記省エネルギー装置は、
本線供給源電気アウトレットに接続するように構成された単一電気インレット、および電力を前記電力装置に選択的に供給するための複数の制御された電気アウトレット；
前記の制御された電力アウトレットに接続されている前記電力装置の少なくとも１つの消費電力を監視する電力センサー；および
前記電気装置の少なくとも一つの感知された電気消費状態に応答して本線供給源電気アウトレットからの前記の制御された電気アウトレットそれぞれへの電力供給の接続を制御するように構成されているプロセッサを有するシステム。
【請求項１３】
外部からの電力供給に接続できる入力；
選択的に動作電力を与えるための外部電気装置に接続できる出力；
前記出力を経由して前記外部電気装置に電力が供給されたときに制御するための装置プロセッサ；および
遠隔制御装置の出力を監視する装置センサーであって、前記装置センサーは前記装置プロセッサと組み合わされているセンサーを含み、
前記装置プロセッサは、前記遠隔制御装置の出力のセンサーによる検出がないことに基づいて前記外部電気装置に供給される電力を停止するように動作する請求項１２に記載のシステム。
【請求項１４】
監視された消費電力に関連してデータを出力する出力をさらに含む請求項１２または１３に記載のシステム。
【請求項１５】
前記プロセッサが監視された消費電力に関連した前記データ出力に応答して前記電気装置への電力供給を制御するように構成されている請求項１２〜１４のいずれか一項に記載のシステム。
【請求項１６】
前記プロセッサが監視された消費電力に関連した前記データ出力に応答して前記省エネルギー装置の設定を調整するように構成されている請求項１２〜１５のいずれか一項に記載のシステム。